(57)【要約】  【課題】デスク構造体を構造上の基幹としつつ、配線類をデスク構造体近傍において簡単、適切に収容、隠蔽するために有用となる新たな構造を備えたワークステーションを提供する。  【解決手段】配線カバーパネル１００の少なくとも左右上端に、腕部およびその腕部の先端に取付部としての役割を担う係合片を有する取付部材１１０、１２０を具備し、その取付部材１１０、１２０をレール６１を有するデスク構造体６の当該レール６１に沿った任意の位置に着脱可能に係り合わせて、配線カバーパネル１００とデスク構造体６との間に配線空間Ｓを形成するようにした。  【選択図】図１
2010094460.tif 000002
【特許請求の範囲】
【請求項１】
配線カバーパネルの左右上端に腕部、その先端に取付部を有する取付部材を具備し、その取付部材をレールを有するデスク構造体の当該レールに沿った任意の位置に着脱可能に係り合わせて、配線カバーパネルとデスク構造体との間に配線空間を形成してなることを特徴とするワークステーション。
【請求項２】
前記デスク構造体のレールに着脱可能に係り合って前記配線空間内に収容可能な配線受ダクトをさらに具備する請求項１記載のワークステーション。
【請求項３】
配線受ダクトは、配線カバーパネルが取り付けられるレールにおいて当該配線カバーパネルを取り付ける取付部材と干渉しない位置に着脱可能に取り付けられる請求項２記載のワークステーション。
【請求項４】
デスク構造体のレールは、天板又は天板支持用のブラケット、脚等を取り付けるためのレールであり、配線カバーパネルはこのレールを利用して取り付けられるものである請求項１〜３何れかに記載のワークステーション。
【請求項５】
取付状態で、配線カバーパネルの配線空間が上下左右に開放されている請求項１〜４何れかに記載のワークステーション。
【請求項６】
連結される２以上のデスク構造体のレールにまたがって配線カバーパネルを取付可能としている請求項１〜５何れかに記載のワークステーション。
【請求項７】
デスク構造体は表裏にレールを有し、表裏何れか一方のレールに天板を支持させるとともに、他方のレールに配線カバーパネルを取り付け可能としている請求項１〜６何れかに記載のワークステーション。
【請求項８】
配線カバーパネルの取付高さが天板の取付高さとほぼ同一に設定されている請求項７記載のワークステーション。
【請求項９】
配線カバーパネルの上端部とデスク構造体の上端部との間に前記レールを利用して配線カバーを取り付けている請求項８記載のワークステーション。
【請求項１０】
デスク構造体に上下に複数のレールを設けて、下側のレールに配線カバーパネルを取り付け、上側のレールに配線カバーを取り付けている請求項９記載のワークステーション。
【請求項１１】
デスク構造体に上下に複数のレールを設けて、上側のレールに天板を取り付け、下側のレールに配線カバーパネルを取り付けている請求項１〜１０何れかに記載のワークステーション。
【発明の詳細な説明】
【技術分野】
【０００１】
本発明は、デスク構造体の周辺に存する配線類を適切に処理できるようにしたワークステーションに関するものである。
【背景技術】
【０００２】
配線ダクト等は、デスクを構成する天板の後縁側から落とし込んだ位置に形成されるのが通例である。このような配線ダクトは、通常、デスクの一部に予め作り込まれている。また、対面で使用できる大型デスク等では、両側から利用できるように天板のセンターライン方向に沿ってその下方に配線ダクト等が作り込んで構成されていることが多い。特許文献１にはこのような配線ダクト構造を含むワークステーションが開示されている。
【特許文献１】ＷＯ９３／２１７９９
【発明の開示】
【発明が解決しようとする課題】
【０００３】
ところで、このようにデスクの下肢空間に配線ダクトを配置したり、大型デスクの中央に配線ダクトを配置している限りにおいては、配線類の処理に所期の効果を上げることが可能である。
【０００４】
しかしながら、近時のワークステーションには、基幹となるデスク構造体にレールを設け、このレールの任意の位置に脚や天板を着脱可能に取り付け可能として、デスク構造体の片側のみに複数の天板をライン方向に取り付けたり、デスク構造体の両側に天板を取り付けるなど、レールを利用して自在なレイアウトを実現しようとする試みがなされている。
【０００５】
このようなワークステーションでは、脚や天板の着脱自在性を確保できる反面、下肢空間の位置が定まらないため、作り付けの配線ダクトが設けられない事情がある。しかも、天板等を取り付けていない箇所があったり、天板を撤去した跡に新たに配線類が露出する場合もあるため、従来にはない新たな対策を講じることが必要になる。
【０００６】
このような場合、デスク構造体それ自体の内部に配線ダクトを作り込んで配線機能を付与することも考えられるが、この種のワークステーションにおいて、レイアウトの自在性を確保しようとすれば、デスク構造体の内部に配線類を全て収める構成は却ってレイアウトの自在性を妨げる要因ともなり、構造も複雑なものとなる。
【０００７】
本発明は、このような課題に着目してなされたものであって、デスク構造体を構造上の基幹としつつ、配線類をデスク構造体近傍において簡単、適切に収容、隠蔽するために有用となる新たな構造を備えたワークステーションを提供することを目的としている。
【課題を解決するための手段】
【０００８】
本発明は、かかる目的を達成するために、次のような手段を講じたものである。
【０００９】
すなわち、本発明のワークステーションは、配線カバーパネルの左右上端に腕部、その先端に取付部を有する取付部材を具備し、その取付部材をレールを有するデスク構造体の当該レールに沿った任意の位置に着脱可能に係り合わせて、配線カバーパネルとデスク構造体との間に配線空間を形成してなることを特徴とする。
【００１０】
このように構成すれば、デスク構造体の周辺の配線を、当該デスク構造体のレールに配線カバーパネルを取り付けることによって簡単に収容、隠蔽することができる。しかも、配線カバーパネルはレールに沿って任意の位置に係り合わせることができるため、レイアウトに応じて配線処理が必要な箇所に自在に適用することが容易となる。
【００１１】
より適切な配線機能を実現するためには、前記デスク構造体のレールに着脱可能に係り合って前記配線空間内に収容可能な配線受ダクトをさらに具備していることが望ましい。
【００１２】
配線受ダクトを簡易かつ密接に配線カバーパネルに関連づけるためには、配線受ダクトは、配線カバーパネルが取り付けられるレールにおいて当該配線カバーパネルを取り付ける取付部材と干渉しない位置に着脱可能に取り付けられるようにしていることが好ましい。
【００１３】
本発明の好適な適用の一態様としては、デスク構造体のレールが天板又は天板支持用のブラケット、脚等を取り付けるためのレールであり、配線カバーパネルをこのレールを利用して取り付け得るようにしているものが挙げられる。
【００１４】
配線の自在な引き回しを可能にするためには、取付状態で、配線カバーパネルの配線空間が上下左右に開放されていることが望ましい。
【００１５】
配線カバーパネルの構成および配置の自由度を高めるためには、連結される２以上のデスク構造体のレールにまたがって配線カバーパネルを取付可能としておくことが好都合である。
【００１６】
具体的な実施の一態様としては、デスク構造体は表裏にレールを有し、表裏何れか一方のレールに天板を支持させるとともに、他方のレールに配線カバーパネルを取り付け可能としているものが挙げられる。
【００１７】
外観を整え、配線の落とし込みにも便ならしめるためには、配線カバーパネルの取付高さが天板の取付高さとほぼ同一に設定されていることが望ましい。
【００１８】
配線空間を適切に目隠しするためには、配線カバーパネルの上端部とデスク構造体の上端部との間に前記レールを利用して配線カバーを取り付けていることが好ましい。
【００１９】
この場合の好適な取付構造としては、デスク構造体に上下に複数のレールを設けて、下側のレールに配線カバーパネルを取り付け、上側のレールに配線カバーを取り付けているものが挙げられる。
【００２０】
本発明の他の好適な取付構造としては、デスク構造体に上下に複数のレールを設けて、上側のレールに天板を取り付け、下側のレールに配線カバーパネルを取り付けているもの等も挙げられる。
【発明の効果】
【００２１】
本発明は、以上説明した構成であるから、デスク構造体を構造上の基幹とするワークステーションにおいて、レイアウトの自在性を損なうことなく、種々の態様に対して配線類をデスク構造体近傍で簡単、適切に収納することができる。このため、天板等を取り付けていない箇所や、天板を撤去した跡に新たに露出する配線類を適切に処理して、ワークステーションの外観や機能性を有効に向上させることができるという優れた効果が奏される。
【発明を実施するための最良の形態】
【００２２】
以下、本発明の一実施形態を、図面を参照して説明する。
【００２３】
図１に示す本実施形態のワークステーションは、パネル状のデスク構造体６を端部脚５とともに構造上の基幹とし、そのデスク構造体６に、デスクトップパネル２や、図２に示すブラケット７等を着脱可能に取り付けて構成される。
【００２４】
具体的に説明すると、デスク構造体６は、左右の端部脚５，５の後端側の内面間を連結する位置に配置されたもので、上縁側の近傍および下縁側の近傍に幅方向に沿って延びるレール６１，６２を有している。これらのレール６１，６２は、デスク構造体６の裏面のみならず、天板１が載置される側の正面側にも同様に設けられている。このデスク構造体６は、天板１の下肢空間を遮蔽する幕板として機能するもので、前述したブラケット７のデスク構造体６への取り付けにあたり、上下のレール６１，６２に図２に示す取付部材７ａを取り付け、この取付部材７ａの前方に逆Ｌ字形をなすブラケット７を取り付けるようにしている。そして、天板１を、一対の端部脚５の間に架設し、中間部をブラケット７に支持させて配置している。複数の天板を使用する場合には、天板の一端部を端部脚５に支持させ他端部を図示しない共通の中間脚に支持させて配置するか、或いは、両端部を図示しない中間脚に支持させて配置するか、何れかの態様が採られる。この場合の中間脚は、アジャスタを介して床に接地し、ステーにおいて隣接する左右の天板の側縁を同時に支持する逆Ｌ字タイプのものが用いられる。そして、この中間脚を取り付ける場合にも、前記のレール６１，６２が利用される。
【００２５】
これらのレール６１、６２は、図３に示すように、開口巾を狭める方向の突出部６１ａ、６２ａを開口縁に有しており、溝底側の開口巾が突出部６１ａ、６２ａ間の開口巾よりも拡開した形態をなしている。上側のレール６１は更に所定間隔で設けた上第１レール６１ｍおよび上第２レール６１ｎから構成されている。図１及び図２に示すデスクトップパネル２は、前記デスク構造体６の上端に積み上げるように載せ置かれ、デスク構造体６の一部に固定されている。
【００２６】
このデスク構造体６は、図９に概略的に示すように、左右の縦フレーム６０ａと上フレーム６０ｂとを有し、それらのコーナー部にコーナーブロックＣＢを配置しているもので、このコーナーブロックＣＢには、紙面垂直方向に対向させた一対の立壁に上下連結用の第１の開口窓ｃｂ１を設け、またこの立壁と直交する底壁に上下方向に貫通する第２の開口窓ｃｂ２を設けている。このデスク構造体６の上に載せ置かれる前述したデスクトップパネル２も、基本的に同様の縦フレーム２０ａおよび上フレーム２０ｂを有し、上側のコーナー部にコーナーブロックＣＢを配置している。そして、上側のコーナーブロックＣＢの第２の開口窓ｃｂ２に連結軸ｃｒを挿し通すとともに、この連結軸ｃｒの下端にプロペラナットｐｒを取り付けておき、デスクトップパネル２をデスク構造体６上に載せ置いた後、連結軸ｃｒの上端側にボルトｖを螺合させて締め付けることによって、プロペラナットｐｒを回転させて下側のコーナーブロックＣＢの第１の開口窓ｃｂ１にその先端を進入、係合させ、更にボルトｖを締め付けることによって、ボルトｖとプロペラナットｐｒの間を引き寄せて、デスクトップパネル２とデスク構造体６との間を連結するようにしている。なお、連結軸ｃｒは両端にネジ孔を有し、プロペラナットｐｒはボルトｖと同様、連結軸ｃｒにねじ込んで取り付けるようにしてある。前述した上フレーム２０ｂ、６０ｂはアルミ押し出し製のものであって、レール６１等はその押し出し時に作り込まれている。縦フレーム２０ａ、６０ａには鉄板やアルミ押し出しによる補強材（図示省略）が適宜内設される。デスク構造体６の下端側においては、左右の縦フレーム６０ａの間にアルミ押し出し製の下フレームが設けられ、その下フレームに前述したレール６２が作り込まれている。この下フレームと前記縦フレーム６０ａとのコーナー部には前述したコーナーブロックＣＢにアジャスタ取付部を増設したものが配置され、そのアジャスタ増設部に図示しないアジャスタが取り付けられている。
【００２７】
デスク構造体６の上に載せ置かれるパネルは上記のデスクトップパネル２に限らず、アジャスタを取り付けていない状態の他のデスク構造体６であっても勿論構わない。
【００２８】
そして、本実施形態では、前記デスク構造体６の上下のレール６１，６２を利用して、当該デスク構造体６の背面側に図１に示す配線カバーパネル１００を取り付け可能としている。
【００２９】
この配線カバーパネル１００は、図４に示すように、面板部１０１の周囲に上枠１０２、下枠１０３及び側枠１０４を有し、内部に縦補強枠１０５ａや横補強枠１０５ｂ等の補強部材を取り付けて構成される偏平なもので、枠１０２，１０３、１０４等の厚みに対応した偏平な内部空間ＳＳが面板部１０１と反対側に向かって開口している。そして、この配線カバーパネル１００の左右の上端を含む四隅に、当該配線カバーパネル１００をデスク構造体６の上下のレール６１，６２に取り付けるための第１の取付部材１１０を面板部と反対側に向けて取り付け、更に上側に位置する第１の取付部材１１０に図１及び図５に示す第２の取付部材１２０を嵌め合わせるようにしている。
【００３０】
第１の取付部材１１０は、図４及び図５に示すように、後方に突出した状態で配線カバーパネル１００の縦補強枠１０５ａに取り付けられるもので、腕部の先端に本発明の取付部としての役割を担う下向きに屈曲する係合片１１０ａと、側方に屈曲する突き当て片１１０ｂとを備えている。下端側に付帯する第１の取付部材１１０の係合片１１０ａ´（図４および図６参照）は垂下寸法が若干大きく設定してある。一方、図５に示す第２の取付部材１２０は、前記第１の取付部材１１０に上方から嵌り合う下向きに開口するチャネル状のもので、腕部の先端に前記係合片１１０ａとともに本発明の取付部としての役割を担う上向きに屈曲する係合片１２０ａを備えている。そして、図６に矢印Ｘ１で示すように、配線カバーパネル１００の下端側に付帯する第１の取付部材１１０の係合片１１０ａ´を下レール６２に引っ掛けるようにして係り合わせ、ほぼ同時に、同図中矢印Ｘ２で示すように、配線カバーパネル１００の上側に付帯する第１の取付部材１１０の係合片１１０ａを上レール６１（上第２レール６１ｎ）に引っ掛けるようにして係り合わせるとともに、その状態で第２の取付部材１２０を、斜め上方から第１の取付部材１１０の下向き係合片１１０ａと上第２レール６１ｎとの隙間に差し込み、更にその位置から第２の取付部材１２０を同図中矢印Ｙで示すように後下方に回転させることによって、図６および図８（ａ）に示すように、両係合片１１０ａ、１２０ａを上第２レール６１ｎ内において相反する方向に屈曲させた状態で第２の取付部材１２０を第１の取付部材１１０に嵌合させるようにしている。両取付部材１１０、１２０には、図５に示すように頂部の対応位置に孔１１０ｃ、１２０ｃが設けてあり、これらの孔１１０ｃ、１２０ｃに樹脂製の止着具１３０を差し込むことによって、両取付部材１１０、１２０を嵌め合った状態で固定するようにしている。すなわち、上第２レール６１ｎの拡開した溝底側の内空に差し込まれた両取付部材１１０，１２０の係合片１１０ａ、１２０ａは、背向する方向に屈曲した位置において当該上第２レール６１ｎの開口を狭める突出部１１０ａ、１２０ａにより前方が塞がれるので、上第２レール６１ｎから前方へ水平に抜け出すことはなく、止着具１３０を外して取付部材１２０を持ち上げない限り、配線カバーパネル１００のデスク構造体６からの抜脱は禁止される。この状態で、図６に示すように配線カバーパネル１００とデスク構造体６との間に配線空間Ｓが形成され、その配線空間Ｓは図１に矢印Ｚで示すように上下左右に開放されて配線類Ｃの導出入が可能な状態となる。図７に示すように、前記配線カバーパネル１００の内部空間ＳＳもこの配線空間Ｓに連続する位置にあって当該配線空間Ｓの一部をなしている。また、複数の配線カバーパネル１００を連続して配置すると、配線空間Ｓは内部空間ＳＳともども左右方向に拡大でき、配線類Ｃを露出させずに横配線を広範囲に亘って行うことが可能となる。
【００３１】
そして、本実施形態では更に、前記配線空間Ｓに図１及び図７に示す配線受ダクト２００を位置づけ、また、配線空間Ｓの上方を必要に応じて図７に示す配線カバー３００によって覆うようにしている。配線受ダクト２００は、第１及び図７に示すように、立壁２０１の一方の面の上下方向中間部および下端部に上レール６１に平行に延びるアングル部材２０２，２０３を取り付けることによって構成され、アングル部材２０２，２０３の内側に配線類Ｃを保持することができるようにしたもので、立壁２０１の上端部にＬ字状に屈曲する取付片２０４を形成している。そして、図８（ｂ）に示すように、配線受ダクト２００を斜め姿勢で上第２レール６１ｎに差し込み、その位置で立壁２０１が鉛直となる方向に回転させることによって、取付片２０４の先端を上第２レール６１ｎの上側の突出部６１ａ１の内面に係り合わせ、取付片２０４の水平部を下側の突出部６１ａ２上に載せ置いた状態に係り合わせて、図７に示すようにデスク構造体６の立面に沿って配線空間内Ｓに配置可能としている。
【００３２】
この配線受ダクト２００のアングル材２０２，２０３は、一部が配線カバーパネル１００の内部空間ＳＳに受容される寸法に設定してあり、横補強枠１０５ｂ等と干渉しないように設定されている。パネル剛性が確保できれば、横補強枠１０５ｂは無くても構わない。また、図１に示すように、配線受ダクト２００の巾寸法は配線カバーパネル１００の巾寸法よりも小さく、配線受ダクト２００の取付片２０４は配線カバーパネル１００の取付部材１１０、１２０と干渉しない範囲で配線空間Ｓ内をレールに沿って移動させることが可能である。
【００３３】
なお、先に述べたように、本実施形態におけるデスク構造体６のレール６１，６２は、そもそも天板１を支持するブラケット７を取付部材７ａを介して取り付けるためのレールであり、本実施形態の配線カバーパネル１００はこのレール６１，６２を利用して取り付けたものである。そして、図２に示すように、デスク構造体６の表裏の一方のレール６１，６２に脚支持部材７ａおよびブラケット７等を介して天板１を支持させ、表裏の他方のレール６１，６２に図１に示す配線カバーパネル１００を取り付けることによって、図７に示すように天板１と配線カバーパネル１００をデスク構造体６を介して背合わせに配置する取付態様が実現されている。この実施形態では、配線カバーパネル１００の上端部１００ｘと天板１の上面１ｘとがほぼ同一高さとなるように設定してある。天板１をブラケット７を介して取り付けるにあたり、取付部材７ａをレール６１を利用して取り付けることは前述したところであるが、図７中、取付部材７ａのレール６１への取付部７ｘについての具体的な構造については、適宜のものが採用可能であるため特に明示していない。
【００３４】
また、同図に示すように、配線カバーパネル１００の上端部１００ｘとデスク構造体６の上端部６ｘとの間、および、天板１の上面１ｘとデスク構造体６の上端部６ｘとの間に、それぞれ前記上第１レール６１ｍを利用して共通の配線カバー３００を取り付けている。この配線カバー３００は、レール６１ｍに取り付けた取付部材３０１に支軸３０２を介して回転可能に取り付けられ、必要に応じて配線カバーパネル１００とデスク構造体６との間の配線空間Ｓ、および天板１とデスク構造体６との間の配線導出入空間を開閉可能とするものであり、配線カバー３００の先端に閉塞状態で配線類を挿し通すための軟質樹脂３００ｔが取着してある。
【００３５】
この実施形態では、レール６１，６２の長手方向に沿って図１に示す境界部Ｐにおいてデスク構造体１，１同士を巾方向に連結しており、その境界におけるレール６１，６２の連続性が確保されていて、全体としてより大きなデスク構造体を構成している。したがって、同図に示すように、連結される２以上のデスク構造体６，６のレール６１，６１間（６２，６２間）にまたがって配線カバーパネル１００を取り付けることを可能にしている。
【００３６】
また、上記のような構成であるから、図１のようにデスク構造体６の片側のみに複数の天板１をライン方向に取り付ける態様のほか、デスク構造体６の両側に天板１を取り付ける態様、一部の天板１を左右の天板１の間から中抜きしてコピーコーナー等のためのスペースを形成する態様など、レール６１，６２を利用して自在なレイアウトを実現することができるものである。
【００３７】
なお、図１において符号４００で示すものは、巾木である。前述したデスク構造体６や端部脚５は、アジャスタ機能を有する脚５００によってそれらの下縁と床下との間に所定の隙間が確保されており、これに対して図示の巾木４００は、それらの下縁に樹脂等により構成される板状の取付具４０１を取り付け、その取付具４０１の下端側に軟質の巾木要素４０２を取り付けて構成されている。そして、床と取付具４０１との間に軟質の巾木要素４０２を変形させながら配線類Ｃ（配線のみならずタップ等）を通過させることができるようにしている。
【００３８】
以上のように、本実施形態のワークステーションは、配線カバーパネル１００の少なくとも左右上端に、腕部およびその腕部の先端に本発明の取付部としての役割を担う係合片１１０ａ、１２０ａを有する取付部材１１０、１２０を具備し、その取付部材１１０、１２０をレール６１を有するデスク構造体６の当該レール６１に沿った任意の位置に着脱可能に係り合わせて、配線カバーパネル１００とデスク構造体６との間に配線空間Ｓを形成するようにしたものである。このため、デスク構造体６の周辺の配線類Ｃを簡単に収容し隠蔽することができる。しかも、配線カバーパネル１００はレール６１，６２に沿って任意の位置に係り合わせることができるため、レイアウトに応じて配線処理が必要な箇所に自在に適用することが容易となる。
【００３９】
加えてこの実施形態は、前記デスク構造体６のレール６１に着脱可能に係り合って前記配線空間Ｓ内に収容可能な配線受ダクト２００をさらに具備しているので、配線空間Ｓ内に収容された配線類Ｃを配線受ダクト２００に適切に保持させることができ、垂れ下がり等を適切に防止することができる。また、先に配線受ダクト２００で配線処理し、その後、配線類Ｃを配線受ダクト２００とともに配線カバーパネル１００によって覆うことができるので、配線作業の便も有効に向上させることができる。そして、配線カバーパネル１００と配線受ダクト２００とを別体として構成できるため、これらを一体的に作り込む場合に比べて、配線カバーパネル１００、配線受ダクト２００の双方をそれぞれ単体で平易に作ることが可能となる。
【００４０】
また、配線受ダクト２００は、配線カバーパネル１００が取り付けられるレール６１において当該配線カバーパネル１００を取り付ける取付部材１１０、１２０と干渉しない位置に着脱可能に取り付けられるので、配線受ダクト２００を配線カバーパネル１００に密接に関連づけつつ共通のレール６１を通じた簡素な取り付け構造を実現することができる。
【００４１】
ところで、デスク構造体６のレール６１，６２は、天板支持用のブラケット７や図示しない中間脚等を取り付けるためのレールであり、配線カバーパネル１００をこのレール６１，６２を利用して取り付けるようにしているので、配線カバーパネル１００を取り付けるにあたって、別途新たにレールを加工することが不要になる。特に、天板１等を取り付けていない箇所があったり、天板１を撤去した跡に新たに配線類Ｃが露出する箇所がある場合等に、その部位に配線カバーパネル１００を取り付けることによってその場所の外観を簡単、適切に向上させ、或いは配線類Ｃの処理を適切に行うことが可能となる。
【００４２】
また、本実施形態の配線空間Ｓは図１に矢印Ｚで示したように、配線カバーパネル１００の取付状態で上下左右に開放されているので、上方からの配線類Ｃの落とし込み、床からの配線類Ｃの立ち上げ、左右方向への横配線などの処理を自在に行うことができ、種々のレイアウトに対応して配線処理機能を有効に向上させることができる。
【００４３】
さらに、本実施形態では、連結される２以上のデスク構造体６、６…のレール６１，６１間（６２，６２間）にまたがって配線カバーパネル１００を取付可能としているので、デスク構造体６の寸法に配線カバーパネル１００の寸法を対応させる必要がなく、配線カバーパネル１００を比較的自由に構成できるとともに、配置の自由度も有効に高めることができる。
【００４４】
レイアウトとの兼ね合いにおいては、デスク構造体６は表裏にレール６１、６１（６２，６２）を有し、図７に示したように表裏何れか一方のレール６１（６２）に天板１を支持させるとともに、他方のレール６１（６２）に配線カバーパネル１００を取り付け可能としているので、天板１の裏面側に引き回される配線類Ｃの処理に有効であり、天板１が存しない箇所や、対面配置された天板１，１の一方が取り除かれた箇所において露出する配線類Ｃの処理も適切に行うことができる。
【００４５】
この場合、配線カバーパネル１００の取付高さが天板１の取付高さとほぼ同一に設定されているので、天板１の背面を隠蔽し、或いは天板１上から配線空間Ｓに配線類Ｃを落とし込む上で適切な取付高さを実現することができる。
【００４６】
この場合、配線カバーパネル１００の上端部１００ｘとデスク構造体６の上端部６ｘとの間に前記レール６１（上第１レール６１ｍ）を利用して配線カバー３００を取り付けているので、配線空間Ｓが上方から視認されることを適切に防止して、外観を有効に向上させることが可能となる。
【００４７】
さらにまた、デスク構造体６の上レール６１を上下の上第１レール６１ｍ，上第２レール６１ｎにより構成して、下方に位置する上第２レール６１ｎに配線カバーパネル１００を取り付け、上方に位置する上第１レール６１ｍに配線カバー３００を取り付けているので、取付場所の取り合いを回避しつつ、配線カバーパネル１００と配線カバー３００とを密接に関連づけて配置することが可能となる。
【００４８】
なお、各部の具体的な構成は、上述した実施形態のみに限定されるものではない。
【００４９】
例えば、配線カバーパネル１００を上第１レールと下レールを利用して取り付けてもよく、強度的に耐用すれば配線カバーパネル１００の左右上端のみに取付部材１１０等を配して上レール６１のみに支持させることも可能である。また、脚支持部材７ａは上第１レール６１ｍに取り付けてもよく、逆に配線カバー３００を上第２レール６１ｎに取り付ける態様も可能である。
【００５０】
さらに、上レール６１は１段のみの構成であってもよく、３段以上のレール構造としてもよい。勿論、下レールについても２段以上のレール構造を採用することもできる。
【００５１】
このような種々の態様の一環として、デスク構造体６の上レール６１を構成する上第１レール６１ｍに直接又は間接に天板１を取り付け、上第２レール６１ｎに配線カバーパネル１００を取り付ければ、取付場所の取り合いを回避しつつ、天板１の下肢空間に配線カバーパネル１００を密接に配置する態様も容易に実現することができる。
その他の構成も、本発明の趣旨を逸脱しない範囲で種々変形が可能である。
【図面の簡単な説明】
【００５２】
【図１】本発明の一実施形態に係るワークステーションの一部を示す斜め後方斜視図。
【図２】同実施形態に係るワークステーションの一部を示す斜め前方斜視図。
【図３】同実施形態で用いられるデスク構造体の部分断面図。
【図４】同実施形態における配線カバーパネルの裏面側を示す部分斜視図。
【図５】同実施形態の配線カバーパネルに適用される取付部材の斜視図。
【図６】同実施形態におけるデスク構造体への配線カバーパネルの取付状態を示す側面図。
【図７】同実施形態のデスク構造体に配線カバーパネルとともに天板および配線カバーを取り付けた状態を示す図６に対応した側断面図。
【図８】配線カバーパネルおよび配線受ダクトの取付構造を示す拡大断面図。
【図９】同実施形態におけるデスク構造体とデスクトップパネルとの連結構造を示す模式図。
【符号の説明】
【００５３】
１…天板
６…デスク構造体
７…天板支持用のブラケット
６１，６２…レール
１００…配線カバーパネル
１１０、１２０…取付部材
２００…配線受ダクト
３００…配線カバー
【図１】
2010094460.tif 000003
【図２】
2010094460.tif 000004
【図３】
2010094460.tif 000005
【図４】
2010094460.tif 000006
【図５】
2010094460.tif 000007
【図６】
2010094460.tif 000008
【図７】
2010094460.tif 000009
【図８】
2010094460.tif 000010
【図９】
2010094460.tif 000011